【手続補正書】
【提出日】平成23年3月17日(2011.3.17)
【手続補正１】
【補正対象書類名】特許請求の範囲
【補正対象項目名】全文
【補正方法】変更
【補正の内容】
【特許請求の範囲】
【請求項１】
ネットワークを介して情報処理装置と通信可能な画像処理装置であって、
前記情報処理装置から前記画像処理装置の設定値を変更するための遠隔操作情報を前記ネットワークを介して受信する受信手段と、
前記受信手段により受信された遠隔操作情報に基づく設定値の変更の内容に応じて、当該設定値の変更を許可するか否かをユーザに問い合わせるための画面を前記画像処理装置に表示するか否かを決定する決定手段と、を備えることを特徴とする画像処理装置。
【請求項２】
前記情報処理装置からの遠隔操作が可能な状態に移行する指示をユーザから受け付ける受け付け手段を更に有し、
前記画像処理装置は、前記受け付け手段によって前記指示が受け付けられた場合に、前記情報処理装置からの遠隔操作が可能な状態に移行することを特徴とする請求項１に記載の画像処理装置。
【請求項３】
前記受け付け手段によって前記指示が受け付けられるのに応じて、遠隔操作の要求を前記ネットワークを介して前記情報処理装置に送信する送信手段を更に有し、
前記受信手段は、前記送信手段によって送信される要求に応じて前記情報処理装置から送信された遠隔操作情報を受信することを特徴とする請求項２に記載の画像処理装置。
【請求項４】
原稿を読み取って画像データを生成する読取手段と、
前記画像データに基づいて印刷する印刷手段とを有し、
前記設定値は、前記読取手段によって原稿を読み取る際の読取濃度、前記印刷手段によって印刷する際の画像の色味、用紙に対する印字位置、給紙カセットの用紙積載量、前記ネットワークにおける前記画像処理装置のアドレス情報のいずれかを含むことを特徴とする請求項１乃至３の何れか一項に記載の画像処理装置。
【請求項５】
前記設定値の変更がユーザによって許可された場合、当該設定値の変更の内容に応じて、当該設定値の変更のために必要な動作を指示するための画面、又は当該設定値の変更に伴って実行すべき処理を指示するための画面を前記画像処理装置に表示する表示制御手段を有することを特徴とする請求項１乃至４の何れか一項に記載の画像処理装置。
【請求項６】
前記設定値の変更のために必要な動作は前記画像処理装置の再起動であり、前記設定値の変更に伴って実行すべき処理はテスト印刷であることを特徴とする請求項４又は５に記載の画像処理装置。
【請求項７】
前記決定手段は、前記設定値が、前記読取手段によって原稿を読み取る際の読取濃度或いは前記印刷手段によって印刷する際の画像の色味或いは用紙に対する印字位置に関わる設定値であった場合、ユーザに問い合わせるための画面を表示すると決定することを特徴とする請求項１乃至６の何れかに記載の画像処理装置。
【請求項８】
前記表示制御手段は、前記変更される設定値が給紙カセットの用紙積載量或いは前記ネットワークにおける前記画像処理装置のアドレス情報であった場合、前記画像処理装置の再起動を指示するための画面を表示し、前記設定値が、前記読取手段によって原稿を読み取る際の読取濃度或いは前記印刷手段によって印刷する際の画像の色味或いは用紙に対する印字位置に関わる設定値であった場合、テスト印刷を指示するための画面を表示することを特徴とする請求項５に記載の画像処理装置。
【請求項９】
前記送信手段により遠隔操作の要求が前記情報処理装置に送信された場合、前記画像処理装置で処理中のジョブの一時停止或いは前記画像処理装置に対する操作入力の受付を制御する入力制御手段を備えることを特徴とする請求項３に記載の画像処理装置。
【請求項１０】
ネットワークを介して情報処理装置と通信可能な画像処理装置の制御方法であって、
前記情報処理装置から前記画像処理装置の設定値を変更するための遠隔操作情報を前記ネットワークを介して受信する受信工程と、
前記受信工程により受信された遠隔操作情報に基づく設定値の変更の内容に応じて、当該設定値の変更を許可するか否かをユーザに問い合わせるための画面を前記画像処理装置に表示するか否かを決定する決定工程と、を有することを特徴とする制御方法。
【請求項１１】
ネットワークを介して情報処理装置と通信可能な画像処理装置の制御方法をコンピュータに実行させるコンピュータ読み取り可能なプログラムであって、前記制御方法は、
前記情報処理装置から前記画像処理装置の設定値を変更するための遠隔操作情報を前記ネットワークを介して受信する受信工程と、
前記受信工程により受信された遠隔操作情報に基づく設定値の変更の内容に応じて、当該設定値の変更を許可するか否かをユーザに問い合わせるための画面を前記画像処理装置に表示するか否かを決定する決定工程と、を有することを特徴とするプログラム。
【手続補正２】
【補正対象書類名】明細書
【補正対象項目名】発明の名称
【補正方法】変更
【補正の内容】
【発明の名称】画像処理装置、制御方法、及びプログラム
【手続補正３】
【補正対象書類名】明細書
【補正対象項目名】０００１
【補正方法】変更
【補正の内容】
【０００１】
本発明は、画像処理装置と情報処理装置をネットワークを介して接続した画像処理装置、制御方法、及びプログラムに関する。
【手続補正４】
【補正対象書類名】明細書
【補正対象項目名】０００７
【補正方法】変更
【補正の内容】
【０００７】
本発明の目的は、遠隔からの設定値変更に不安を持つことなく対応可能とし、サービス性の向上と、ユーザ及びサービス員にかかる負担を軽減可能とした画像処理装置、制御方法、及びプログラムを提供することにある。
【手続補正５】
【補正対象書類名】明細書
【補正対象項目名】０００８
【補正方法】変更
【補正の内容】
【０００８】
上述の目的を達成するために、本発明の画像処理装置は、ネットワークを介して情報処理装置と通信可能な画像処理装置であって、前記情報処理装置から前記画像処理装置の設定値を変更するための遠隔操作情報を前記ネットワークを介して受信する受信手段と、前記受信手段により受信された遠隔操作情報に基づく設定値の変更の内容に応じて、当該設定値の変更を許可するか否かをユーザに問い合わせるための画面を前記画像処理装置に表示するか否かを決定する決定手段と、を備えることを特徴とする。
【手続補正６】
【補正対象書類名】明細書
【補正対象項目名】０００９
【補正方法】変更
【補正の内容】
【０００９】
本発明によれば、画像処理装置は、情報処理装置から画像処理装置に対する設定値の変更の内容に応じて、設定値の変更を許可するか否かをユーザに問い合わせるための画面を画像処理装置に表示するか否かを決定する。これにより、画像処理装置のユーザは遠隔からの設定値変更に不安を持つことなく対応することが可能となる。これに伴い、ユーザが画面を介して設定値の変更を視覚的に確認してから、画像処理装置に対して設定値を反映させることが可能となる。これにより、画像処理装置のユーザに対するサービス性の向上を図ることが可能となると共に、ユーザ及びサービス員にかかる負担を軽減することが可能となる。
【手続補正７】
【補正対象書類名】明細書
【補正対象項目名】００１６
【補正方法】変更
【補正の内容】
【００１６】
また、コントローラユニット２０００は、ＬＡＮ１００４、公衆回線２０５１に接続される。また、コントローラユニット２０００（決定手段、表示制御手段、入力制御手段、送信手段）は、図４のソフトウェアの管理及び制御を司る。図２ａに示すコントローラユニット２０００の構成は、本発明の送信手段、決定手段、表示制御手段、入力制御手段を実現するための一例である。